(57)【要約】      （修正有）【課題】２４時間連続運転を行う機種や所謂お掃除モードを有する機種についても効果的な静音運転を行うことが可能な換気装置を提供する。【解決手段】照度センサの出力Ｌが上述の既定値Ｌｓ以下であるような、夜間や就寝時においては（ステップＳ４０２：ＹＥＳ）、相対的に運転音の大きい強運転モード（ステップＳ４０８）及びお掃除モード（ステップＳ４０９）での運転が禁止され、静音モード（ステップＳ４１０）での運転のみが許容される。【選択図】図４
2016040504.tif 000002
【特許請求の範囲】
【請求項１】
屋外から外気を給気し、室内の内気を排気する換気装置であって、
周囲の照度を検出する照度センサ、及び、前記室内の塵埃を検出する塵埃センサの出力に応じて、前記換気装置の運転を制御する制御部と、
前記制御部からの制御信号に応じて外気を室内に給気する給気送風機と、
前記制御部からの制御信号に応じて前記室内の空気を排気する排気送風機と、を備え、
前記制御部は、前記給気する外気の塵埃を除去する給気フィルタ及び／若しくは前記排気する内気の塵埃を除去する排気フィルタに付着した塵埃を排出するために前記排気送風機を高出力で運転するお掃除モードと、前記お掃除モードでない場合に前記塵埃センサの出力が所定値を超えたときには前記排気送風機及び／若しくは前記給気送風機を高出力で運転する強運転モードと、の２つの運転モードのうちの少なくとも何れかの運転モードと、前記排気送風機及び前記給気送風機を低出力で運転する静音モードとを切換えるように構成され、前記照度センサによる検出照度が所定水準以下であるときには、前記２つの運転モードのうち当該制御部で選択され得る運転モードでの運転を禁止することを特徴とする換気装置。
【請求項２】
前記制御部は、前記照度センサによる検出照度が所定水準以下であるときには、前記静音モードでの運転を行うことを特徴とする請求項１に記載の換気装置。
【発明の詳細な説明】
【技術分野】
【０００１】
本発明は、屋外から外気を給気し、室内の内気を排気する換気装置に関する。
【背景技術】
【０００２】
従来、夜間の騒音を低減した自動換気装置が提案されている（例えば、特許文献１参照）。即ち、特許文献１には、照度センサの検出値に応じて、暗い夜間には換気を行うファンモータの運転を制限して騒音を低減する自動換気装置が開示されている。
【先行技術文献】
【特許文献】
【０００３】
【特許文献１】特開２０００−１４６２３８号公報
【発明の概要】
【発明が解決しようとする課題】
【０００４】
特許文献１所載の換気装置では、空気の汚れを検出するセンサの出力に応じて運転の強弱を切換える一方、照度センサの検出値が所定値を下回った場合には、ファンモータを停止して騒音の発生を抑えるようにしている。
【０００５】
しかしながら、特許文献１所載の換気装置は、２４時間連続運転が義務付けられているような用途には適合しない。
また、近年普及しているような、エアフィルタの自動清掃機能、即ち、所謂お掃除モードでの運転を行うような機種への適用については別段の配慮がない。
本発明は、上述のような状況に鑑みてなされたものであり、２４時間連続運転を行う機種や所謂お掃除モードを有する機種についても効果的な静音運転を行うことが可能な換気装置を提供することを目的とする。
【課題を解決するための手段】
【０００６】
上記目的を達成するべく、ここに次のような技術を提案する。
（１）屋外から外気を給気し、室内の内気を排気する換気装置であって、
周囲の照度を検出する照度センサ（例えば、後述の照度センサ３０２）、及び、前記室内の塵埃を検出する塵埃センサ（例えば、後述の塵埃センサ３０３）の出力に応じて、前記換気装置の運転を制御する制御部（例えば、後述の制御部３０１）と、
前記制御部からの制御信号に応じて外気を室内に給気する給気送風機（例えば、後述の給気送風機２）と、
前記制御部からの制御信号に応じて前記室内の空気を排気する排気送風機（例えば、後述の排気送風機３）と、を備え、
前記制御部は、前記給気する外気の塵埃を除去する給気フィルタ及び／若しくは前記排気する内気の塵埃を除去する排気フィルタに付着した塵埃を排出するために前記排気送風機を高出力で運転するお掃除モード（例えば、後述のステップＳ４０９）と、前記お掃除モードでない場合に前記塵埃センサの出力が所定値を超えたときには前記排気送風機及び／若しくは前記給気送風機を高出力で運転する強運転モード（例えば、後述のステップＳ４０８）と、の２つの運転モードのうちの少なくとも何れかの運転モードと、前記排気送風機及び前記給気送風機を低出力で運転する静音モード（例えば、後述のステップＳ４０７）とを切換えるように構成され、前記照度センサによる検出照度が所定水準以下であるときには、前記２つの運転モードのうち当該制御部で選択され得る運転モードでの運転を禁止することを特徴とする換気装置。
【０００７】
上記（１）の換気装置では、夜間や就寝時など照度センサによる検出照度が所定水準以下であるときには、お掃除モードや強運転モードなどのような高出力での運転が禁止されるため運転による騒音が効果的に抑制され、且つ、静音状態での運転をも禁止されるものではないため、２４時間連続運転を行う必要がある換気装置としても具現され得る。
【０００８】
（２）前記制御部は、前記照度センサによる検出照度が所定水準以下であるときには、前記静音モードでの運転を行うことを特徴とする上記（１）の換気装置。
上記（２）の換気装置では上記（１）の換気装置において特に、照度センサによる検出照度が所定水準以下となり、夜間など騒音が問題となる蓋然性が高いときに、自動的に静音モードでの運転に切換わるため、効果的に騒音防止がはかられる。
【発明の効果】
【０００９】
本発明によれば、２４時間連続運転を行う機種や所謂お掃除モードを有する機種についても効果的な静音運転を行うことが可能な換気装置が具現される。
【図面の簡単な説明】
【００１０】
【図１】本実施形態の換気装置が配置される室内の模式図である。
【図２】本実施形態の換気装置を示す斜視図である。
【図３】図２の換気装置の制御部の構成を表す機能ブロック図である。
【図４】図２の換気装置の制御部の動作を説明するためのフローチャートである。
【図５】図２の換気装置のお掃除モードでの制御手順の詳細を表すフローチャートである。
【図６】図２の換気装置の換気に関する運転モードを表す図である。
【図７】図２の換気装置の各モードでの運転が行われる条件を表す図である。
【発明を実施するための形態】
【００１１】
以下、図面を参照して本発明の実施形態について詳述することにより本発明を明らかにする。
【００１２】
図１は、本実施形態に係る換気装置１の使用状態を示す図である。図１に示すように、本実施形態に係る換気装置１は、室内の壁面の上部等に取り付けられ、建物の屋外と屋内の間で空気を給排気して換気を行うダクトレス式の換気装置である。
換気装置１のハウジング１０には、屋外からの外気を屋内に送り込む屋内側給気口２２と、屋内の内気を屋外に送り出す屋内側排気口３１が設けられている。
【００１３】
図２は、換気装置１の斜視図である。図２に示すように、換気装置１は、ハウジング１０と、給気経路２０と、給気送風機２と、排気経路３０と、排気送風機３と、熱交換器５と、バイパス経路９と、を備える。
また、換気装置１は、給気フィルタ４１と、排気フィルタ４２と、静電圧印加装置６と、給気フィルタ移動装置８と、ダンパ１００と、制御装置（図示せず）と、を備える。
【００１４】
ハウジング１０は、略直方体状に形成されている。ハウジング１０の背面は平坦に形成され、室内の壁面等に当接する。ハウジング１０は、背面の一端側において、屋外から屋内に通じる配管１１と接続される。ハウジング１０は、後述する各経路及び部材をその内部に収容する。
【００１５】
給気経路２０は、屋外側に配置される屋外側給気口２１と、屋内側に配置される屋内側給気口２２と、を結ぶ。屋外側給気口２１は、配管１１に位置し、屋内側給気口２２は、ハウジング１０の正面側の上端部に位置する。
【００１６】
排気経路３０は、屋内側に配置される屋内側排気口３１と、屋外側に配置される屋外側排気口３２と、を結ぶ。屋内側排気口３１は、ハウジング１０の正面側の下端部に位置し、屋外側排気口３２は、配管１１に位置する。
【００１７】
ここで、屋外側給気口２１及び屋外側排気口３２は、配管１１の内部が上下に仕切られることで形成されている。即ち、円管の配管１１の断面視における下側の半円部分により屋外側給気口２１が構成され、上側の半円部分により屋外側排気口３２が構成される。
【００１８】
給気送風機２は、給気経路２０の終端側に配置されて、外気を屋内側に送る。給気送風機２は、給気経路２０の熱交換器５よりも下流側に配置される。給気送風機２は、モータ２ａと、モータ２ａに接続され且つ熱交換器５に対向して配置される多翼羽根車２ｂと、を備える遠心送風機である。
【００１９】
排気送風機３は、排気経路３０の終端側に配置されて、屋内側の空気を屋外側に送る。排気送風機３は、排気経路３０の熱交換器５よりも下流側に配置される。排気送風機３は、モータ３ａと、モータ３ａに接続され且つ熱交換器５に対向して配置される多翼羽根車３ｂと、を備える遠心送風機である。
【００２０】
熱交換器５は、給気経路２０及び排気経路３０に配置される。熱交換器５は、給気経路２０を流通する給気と排気経路３０を流通する排気との間で熱交換を行う。熱交換器５は、全熱（顕熱及び潜熱）を交換することが可能な長方形の全熱交換シートが、当該全熱交換シートの短手方向に延びる複数のリブを介在させて積層されることで、直方体状に形成される。この全熱交換シートは、例えば紙からなる。熱交換器５の内部において、給気経路２０及び排気経路３０は、全熱交換シートを介して、全熱交換シートの積層方向に交互に独立して形成される。
【００２１】
また、熱交換器５は、長手方向の一端側の上部に形成される給気流入口５１と、他端側の側面に形成される給気流出口５２と、他端側の下部に形成される排気流入口５３と、一端側の側面に形成される排気流出口５４と、を有する。熱交換器５内における給気流入口５１と給気流出口５２とを結ぶ流路は、給気経路２０の一部を構成する。同様に、熱交換器５内における排気流入口５３と排気流出口５４とを結ぶ流路は、排気経路３０の一部を構成する。これにより、給気経路２０における給気の流れと排気経路３０における排気の流れとは、対向流となる。
【００２２】
バイパス経路９は、排気経路３０の排気フィルタ４２よりも上流側に位置するバイパス入口９１と、排気経路３０の熱交換器５よりも下流側に位置するバイパス出口９２と、を結ぶ。バイパス経路９は、排気フィルタ４２表面に堆積した塵埃を除去する際に、排気を熱交換器５に流通させることなくバイパスする。バイパス入口９１は、排気フィルタ４２の周縁に位置し、排気フィルタ４２の面方向に向かって開口する。バイパス出口９２は、排気流出口５４と多翼羽根車３ｂとの間に位置し、多翼羽根車３ｂの軸と直交する方向に向かって開口する。
【００２３】
ダンパ１００は、熱交換器５を介した流路を通しての排気と、熱交換器５を介さないバイパス経路９を通しての排気と、を切換える。この切換のために、ダンパ１００を駆動するアクチエータとしてのモータ６２が設けられている。
【００２４】
給気フィルタ４１は、給気経路２０の熱交換器５よりも上流側の屋外側給気口２１近傍に配置される。給気フィルタ４１は、給気に含まれる塵埃を捕集する。
給気フィルタ４１は、環状であり、径方向に延びる軸により半分に分割されている。給気フィルタ４１は、分割された一方の半円側に配置される網部４１０を有する。給気フィルタ４１は、網部４１０により、塵埃の通過を防止する。給気フィルタ４１は、その外周に被動ギア４３が設けられ、給気フィルタ移動装置８の駆動ギア８２とギア結合している。給気フィルタ４１は、後述する制御部からの制御信号（給気フィルタアクチュエータ制御出力）に応動する給気フィルタ移動装置８によって、後述するお掃除モードが実行される都度回転駆動される。
【００２５】
排気フィルタ４２は、排気経路３０の熱交換器５よりも上流側の屋内側排気口３１近傍に配置される。排気フィルタ４２は、排気に含まれる塵埃を捕集する。排気フィルタ４２は、モータ６１によって回転し、ブラシ（不図示）との相対変位によってフィルタ表面に堆積した塵埃を除去する掃除が行われるように構成されている。
【００２６】
図３は、図２の換気装置の制御部３０１の構成を表す機能ブロック図である。
図３の制御部３０１には照度センサ３０２及び塵埃センサ３０３の出力が供給される。制御部３０１はＣＰＵ３０４を主体とする回路で構成され、各種の制御のタイミングをはかるためのタイマ３０５の出力がＣＰＵ３０４に入力される。
この制御部３０１からは、次のような各制御出力信号が発せられる：
（ａ）給気モータ制御出力：給気送風機２の動力源であるモータ２ａを制御する信号
（ｂ）排気モータ制御出力：排気送風機３の動力源であるモータ３ａを制御する信号
（ｃ）給気フィルタアクチュエータ制御出力：お掃除モード時に、通常は給気入口の位置
にある給気フィルタ４１を排気に晒す位置に転換させる給気フィルタクチュエー
タ（給気フィルタ移動装置８）を制御する信号
（ｄ）排気流路切換制御出力：お掃除モード時に排気フィルタ４２下流の流路をバイパス
側に切換えるためにモータ６２の駆動を制御する信号
【００２７】
図４は、図２の換気装置１の制御部３０１の動作を説明するためのフローチャートである。
動作が開始すると、まず照度センサ３０２の出力Ｌが読込まれる（ステップＳ４０１）。次いで、出力Ｌが、検出照度に関する所定の水準値であるＬｓと比較される（ステップＳ４０２）。このＬｓは、例えば、照度センサ３０２が室内照度を検出するように配置されている場合には、室内全消灯状態や常夜灯のみが点灯状態にある場合に対応する値として設定される。
ステップＳ４０２で、出力Ｌが、所定の水準値であるＬｓ以下になっているときには（ステップＳ４０２：ＹＥＳ）、制御部３０１は、排気送風機３及び給気送風機２を低出力で運転する静音モードとなるように、既述の排気モータ制御出力及び給気モータ制御出力を発する（ステップＳ４１０）。
この静音モードでは、排気送風機３及び給気送風機２が低出力で運転され、騒音レベルが低くなるため、夜間の環境騒音の問題が生じるおそれが有効に回避され、更に、就寝時に換気装置の運転音によって安眠が妨げられるようなことが生じるおそれもない。
【００２８】
ステップＳ４０２で、出力Ｌが、所定の水準値であるＬｓ以下になっていないときには（ステップＳ４０２：ＮＯ）、次いで、運転時間（運転持続時間）に関するタイマの計時値Ｔが読込まれる（ステップＳ４０３）。次いで、タイマの計時値Ｔが、お掃除モード運転を実行する時間間隔としての既定値Ｔｓと比較される（ステップＳ４０４）。
運転持続時間であるタイマの計時値Ｔが既定値Ｔｓ以上に至っていないときには（ステップＳ４０４：ＮＯ）、塵埃センサ３０３の出力Ｄが読込まれる（ステップＳ４０５）。
【００２９】
次いで、出力Ｄが、塵埃センサ３０３の出力に関する所定値Ｄｓと比較される（ステップＳ４０６）。この所定値Ｄｓは、例えば、室内の塵埃が強制換気を行うことが望ましい水準として設定された既定値である。
出力Ｄが所定値Ｄｓ以上に至っていないときには（ステップＳ４０６：ＮＯ）、制御部３０１は、排気送風機３及び給気送風機２を通常出力で運転する通常運転モードとなるように、既述の排気モータ制御出力及び給気モータ制御出力を発する（ステップＳ４０７）。
この通常運転モードでは、排気送風機３及び給気送風機２が通常出力で運転され、適度な換気が持続される。
【００３０】
一方、ステップＳ４０６で、塵埃センサ３０３の出力Ｄが所定値Ｄｓ以上であるときには（ステップＳ４０６：ＹＥＳ）、制御部３０１は、排気送風機３及び／又は給気送風機２を高出力で運転する強運転モードとなるように排気モータ制御出力及び／又は給気モータ制御出力を発する（ステップＳ４０８）。
ステップＳ４０８で強運転モードに入ると、次いでステップＳ４０５に戻り、塵埃センサ３０３の出力Ｄが読込まれる（ステップＳ４０５）。
【００３１】
即ち、一旦強運転モードに入った後は、現在時点での塵埃センサ３０３の出力Ｄが、未だ、室内の塵埃が強制換気を行うことが望ましい水準として設定された既定値Ｄｓ以上であるか否かが判断され（ステップＳ４０６）、既定値Ｄｓ以上である限りは（ステップＳ４０６：ＹＥＳ）強運転モードが継続され、既定値Ｄｓ以下まで低下して室内の空気が清浄になると（ステップＳ４０６：ＮＯ）、通常運転モードに移行する（ステップＳ４０７）。
本実施形態の換気装置では、このようにして、必要があるときのみ強運転モードで運転が行われ、夜間などは自動的に静音モードに切換えられて運転が持続されるため、騒音低減効果に優れ、また、省エネルギーの点でも優れる。
【００３２】
上述のステップＳ４０４で、タイマの計時値Ｔが、お掃除モード運転を実行する時間間隔としての既定値Ｔｓを超えたと判断されたときには（ステップＳ４０４：ＹＥＳ）、換気装置が給気する外気の塵埃を除去する給気フィルタ４１及び／又は排気する内気の塵埃を除去する排気フィルタ４２に付着した塵埃を排出するために排気送風機３を高出力で運転するお掃除モードでの運転に入る（ステップＳ４０９）。
【００３３】
図５は、お掃除モード（ステップＳ４０９）での制御手順の詳細を表すフローチャートである。
お掃除モードが起動すると、先ず、排気フィルタ４２下流の流路をバイパス経路９側に切換える（ステップＳ５０１）。この切換えは、制御部３０１が、排気流路切換制御出力を、流路を切換えるためのアクチュエータであるモータ６２に出力することによって実行される。次いで、制御部３０１からの排気モータ制御出力によって、排気送風機３の動力源であるモータ３ａが高出力運転に切換えられる（ステップＳ５０２）。これにより、流路の抵抗が低減され換気装置内の他部（例えば、排気と給気との熱交換を行う熱交換器５など）への塵埃被着のおそれが解除された状態で、高出力運転で流速が上がった排気で、排気フィルタ４２に堆積した塵埃が効果的に除去される。
【００３４】
モータ３ａが高出力運転に移行すると、排気フィルタ４２のお掃除運転の持続時間ＴＥ１について計時動作が行われ（ステップＳ５０３）、運転時間ＴＥ１が排気フィルタ清掃の既定の継続時間Ｔｓ１に達したか否かが監視される（ステップＳ５０４）。排気フィルタ４２の清掃に係るこの継続時間Ｔｓ１は、例えば、３０秒内外の時間である。時間Ｔｓ１に達するまでの間、排気フィルタ４２の清掃が続けられる（ステップＳ５０４：ＮＯ）。
【００３５】
運転時間ＴＥ１が既定の時間Ｔｓ１に達すると（ステップＳ５０４：ＹＥＳ）、ステップＳ５０１でバイパス経路９側に切換えられていた排気フィルタ４２下流の流路が元の状態に復帰される（ステップＳ５０５）。ステップＳ５０５での流路復帰は、制御部３０１が、排気流路切換制御出力を、流路を切換えるためのアクチュエータに出力することによって実行される。この後、給気フィルタ４１を清掃する手順に移行する。
【００３６】
上述のステップＳ５０５に次いで、給気フィルタ４１の位置を排気に晒す位置に転換させる（ステップＳ５０６）。ステップＳ５０６での給気フィルタ４１の位置の転換は、制御部３０１が、給気フィルタアクチュエータ制御出力を給気フィルタアクチュエータ（即ち、給気フィルタ移動装置８）に与えることによって行われる。この制御によって、給気フィルタ４１は給気の入口（屋外側給気口２１）に位置していたものが排気の出口（屋外側排気口３２）に位置するようにその配置が転換される。
この転換後の位置では、給気フィルタ４１は、ステップＳ５０２で高出力運転に切換えられて流速が上がっている排気に晒されて、表面に堆積した塵埃が効果的に除去される。
【００３７】
ステップＳ５０６で給気フィルタの位置が転換されて、給気フィルタ４１のお掃除運転が開始すると、次いで、給気フィルタ４１のお掃除運転の持続時間ＴＥ２について計時動作が行われ（ステップＳ５０７）、運転時間ＴＥ２が給気フィルタ清掃の既定の継続時間Ｔｓ２に達したか否かが監視される（ステップＳ５０８）。
給気フィルタ４１の清掃に係る既定の継続時間Ｔｓ２は、例えば、３０秒内外の時間である。時間Ｔｓ２に達するまでの間、給気フィルタ４１のお掃除運転が続けられる（ステップＳ５０８：ＮＯ）。
【００３８】
運転時間ＴＥ２が既定の時間Ｔｓ２に達すると（ステップＳ５０８：ＹＥＳ）、ステップＳ５０６で排気の出口（屋外側排気口３２）に位置するようにその配置が転換されていた給気フィルタ４１が元の位置（屋外側給気口２１）に復帰される（ステップＳ５０９）。ステップＳ５０９での給気フィルタ位置の復帰は、制御部３０１が、給気フィルタアクチュエータ制御出力を、給気フィルタ位置を転換するためのアクチュエータである給気フィルタ移動装置８に出力することによって実行される。
以上で、お掃除モード（図４：ステップＳ４０９）での運転が終了し、制御部３０１による制御手順は、図４のステップＳ４０５に移行する。
【００３９】
図４のフローチャートを参照して容易に理解されるとおり、本実施形態では特に、照度センサ３０２の出力Ｌが上述の既定値Ｌｓ以下であるような、夜間や就寝時においては（ステップＳ４０２：ＹＥＳ）、相対的に運転音の大きい強運転モード（ステップＳ４０８）及びお掃除モード（ステップＳ４０９）での運転が禁止され、静音モード（ステップＳ４０７）での運転のみが許容される。
【００４０】
図６は、照度センサ３０２の出力と塵埃センサ３０３の出力とに応じて許容される換気の運転モードを表す図である。図中、照度センサ３０２に係る「Ｈ」は、出力レベルが既定値Ｌｓ以下ではない明るい場合を示し、「Ｌ」は、出力レベルが既定値Ｌｓ以下である暗い場合を示している。
図６のとおり、照度センサ３０２の出力によって周囲が明るいと判断される「Ｈ」の場合には、塵埃センサ３０３の出力に応じて、強運転モードと通常運転モードとの双方のモードでの運転が選択的に実行され得る。即ち、塵埃センサ３０３の出力が相対的に高く「Ｈ」に該当するときには、室内の空気が汚れて急速な換気が望まれるときであり、強運転モードでの換気が行われる。また、塵埃センサ３０３の出力が相対的に低く「Ｌ」に該当するときには、通常運転モードでの換気が行われる。
【００４１】
以上に対し、照度センサ３０２の出力によって周囲が暗いと判断される「Ｌ」の場合には、塵埃センサ３０３の出力如何によらず、穏やかな換気が望まれるときであり、静音モードでの換気のみが許容される。
従って、本実施形態の換気装置では、照度センサ３０２が屋外光を検出するように配置されていて外光照度が低い夜の状態にあることが判定されたり、照度センサ３０２が室内照度を検出するように配置されていて全消灯状態や常夜灯のみ点灯の状態にあることが判定されたりした場合には、騒音レベルが相対的に高いモードでの換気運転が禁止される。このため、夜間や就寝時には運転音が静かになり、環境騒音や安眠が妨げられるといったおそれが払拭される。
また、夜間や就寝時にも静音モードでの運転は許容されるため、２４時間連続運転を行う換気装置としても具現することができる。
【００４２】
図７は、本実施形態における強運転モード、静音モード、お掃除モード、及び、通常運転モードの各モードでの運転が行われる条件を表す図である。
図７に示されたとおり、強運転モードでの運転は、照度センサ３０２の出力が相対的に高く「Ｈ」に該当するときであって、塵埃センサ３０３の出力も相対的に高く「Ｈ」に該当するときであって、更に、運転持続時間が、次のお掃除モードを実行する時点には至っていない時期にあるとき（図示の「短」の時期）に実行される。
【００４３】
また、静音モードでの運転は、照度センサ３０２の出力が相対的に低く「Ｌ」に該当するときには、塵埃センサ３０３の出力や運転持続時間の如何に依らずに実行される。但し、照度センサ３０２の出力が「Ｈ」に該当するときであっても、塵埃センサ３０３の出力が「Ｌ」に該当するときには、通常運転モードでの運転が実行される。
お掃除モードでの運転の可否は、塵埃センサ３０３の出力とは無関係である。照度センサ３０２の出力が相対的に高く「Ｈ」に該当していることを実行許容の条件として、更に、運転持続時間が、次のお掃除モードを実行する時点に達している時期にあるとき（図示の「長」の時期）に実行される。
【００４４】
尚、上述の実施形態では、強運転モード、静音モード、お掃除モード、及び、通常運転モードの各モードでの運転が行われ得る態様を採った場合について詳述したが、本発明の換気装置はこれに限定されない。即ち、お掃除モードと強運転モードとの２つの運転モードのうちの少なくとも何れかの運転モードと、静音モードとを切換えるように構成され、照度センサ３０２による検出照度が所定水準以下であるときには、これら２つの運転モードのうち当該制御部で選択され得る運転モードでの運転を禁止する態様の換気装置も本発明に含まれる。
【符号の説明】
【００４５】
１…換気装置
２…給気送風機
２ａ…モータ
２ｂ…多翼羽根車
３…排気送風機
３ａ…モータ
３ｂ…多翼羽根車
５…熱交換器
８…給気フィルタ移動装置
４１…給気フィルタ
４２…排気フィルタ
３０１…制御部
３０２…照度センサ
３０３…塵埃センサ
３０５…タイマ
【図１】
2016040504.tif 000003
【図２】
2016040504.tif 000004
【図３】
2016040504.tif 000005
【図４】
2016040504.tif 000006
【図５】
2016040504.tif 000007
【図６】
2016040504.tif 000008
【図７】
2016040504.tif 000009